(57)【特許請求の範囲】
【請求項１】
ユーザ機器（ＵＥ）のワイヤレス通信の方法であって、
第２の時間サイクル中のリソースブロックペアの第２のセットへの第１の時間サイクル中のリソースブロックペアの第１のセットのマッピングに基づいて、前記第２の時間サイクル中のピア発見メッセージを送信すべき、リソースブロックペアの前記第２のセットを決定することと、前記マッピングが、リソースブロックペアの前記第１のセット中の各リソースブロックペアとリソースブロックペアの前記第２のセット中の対応するリソースブロックペアとの間の１対１のマッピングであり、ここにおいて、リソースブロックペアの前記第２のセット中の少なくとも２つのリソースブロックペアが、隣接しない割り振られたリソース中にある、
リソースブロックペアの前記決定された第２のセット中で前記ピア発見メッセージを送信することと、
前記ピア発見メッセージに関連して、リソースブロックペアの前記第２のセット内の特定のリソースブロックペアの順序に基づくメッセージを示す情報を送信することとを備える、方法。
【請求項２】
リソースブロックペアの前記第１のセット中の前記リソースブロックペアが、隣接する割り振られたリソース中にある、請求項１に記載の方法。
【請求項３】
リソースブロックペアの前記第２のセット中のすべてのリソースブロックペアが、隣接しない割り振られたリソース中にある、請求項１に記載の方法。
【請求項４】
リソースブロックペアの前記決定された第２のセットを示す情報を基地局に送ることと、
前記基地局から、リソースブロックペアの前記決定された第２のセットが利用され得るかどうか指示を受信することとをさらに備える、請求項１に記載の方法。
【請求項５】
前記第２の時間サイクル中のリソースブロックペアへの前記第１の時間サイクル中のリソースブロックペアのマッピングに基づいて、前記第２の時間サイクル中のリソースブロックペアの複数のセットを決定することと、
前記第２の時間サイクル中のリソースブロックペアの前記複数のセットに関連付けられた受信電力を決定することと、リソースブロックペアの前記複数のセットが、リソースブロックペアの前記第２のセットを含む、
リソースブロックペアの前記第２のセットがしきい値よりも小さい受信電力を有すると決定することと、
リソースブロックペアの前記第２のセットが前記しきい値よりも小さい受信電力を有すると決定すると、リソースブロックペアの前記第２のセット中で前記ピア発見メッセージを送信することを決定することとをさらに備える、請求項１に記載の方法。
【請求項６】
リソースブロックペアの前記第２のセット内の特定のリソースブロックペアの順序に基づいて前記メッセージを生成することをさらに備える、請求項１に記載の方法。
【請求項７】
前記メッセージに基づいて、複数のパイロットシーケンスからパイロットシーケンスを選択することをさらに備え、ここにおいて、前記メッセージを示す前記情報が、前記選択されたパイロットシーケンスであり、前記選択されたパイロットシーケンスが、前記ピア発見メッセージを搬送する前記特定のリソースブロックペア内の基準信号中で送信される、請求項１に記載の方法。
【請求項８】
前記メッセージが、前記ピア発見メッセージ内の前記特定のリソースブロックペア中で送信される、請求項１に記載の方法。
【請求項９】
ワイヤレス通信のための装置であって、前記装置はユーザ機器（ＵＥ）であり、
第２の時間サイクル中のリソースブロックペアの第２のセットへの第１の時間サイクル中のリソースブロックペアの第１のセットのマッピングに基づいて、前記第２の時間サイクル中のピア発見メッセージを送信すべき、リソースブロックペアの前記第２のセットを決定するための手段と、前記マッピングが、リソースブロックペアの前記第１のセット中の各リソースブロックペアとリソースブロックペアの前記第２のセット中の対応するリソースブロックペアとの間の１対１のマッピングであり、リソースブロックペアの前記第１のセット中のリソースブロックペアが、隣接する割り振られたリソース中にあり、ここにおいて、リソースブロックペアの前記第２のセット中の少なくとも２つのリソースブロックペアが、隣接しない割り振られたリソース中にある、
リソースブロックペアの前記決定された第２のセット中で前記ピア発見メッセージを送信するための手段と、
前記ピア発見メッセージに関連して、リソースブロックペアの前記第２のセット内の特定のリソースブロックペアの順序に基づくメッセージを示す情報を送信するための手段とを備える、装置。
【請求項１０】
リソースブロックペアの前記決定された第２のセットを示す情報を基地局に送るための手段と、
前記基地局から、リソースブロックペアの前記決定された第２のセットが利用され得るかどうか指示を受信するための手段とをさらに備える、請求項９に記載の装置。
【請求項１１】
前記第２の時間サイクル中のリソースブロックペアへの前記第１の時間サイクル中のリソースブロックペアのマッピングに基づいて、前記第２の時間サイクル中のリソースブロックペアの複数のセットを決定するための手段と、
前記第２の時間サイクル中のリソースブロックペアの前記複数のセットに関連付けられた受信電力を決定するための手段と、リソースブロックペアの前記複数のセットが、リソースブロックペアの前記第２のセットを含む、
リソースブロックペアの前記第２のセットがしきい値よりも小さい受信電力を有すると決定するための手段と、
リソースブロックペアの前記第２のセットが前記しきい値よりも小さい受信電力を有すると決定すると、リソースブロックペアの前記第２のセット中で前記ピア発見メッセージを送信することを決定するための手段とをさらに備える、請求項９に記載の装置。
【請求項１２】
リソースブロックペアの前記第２のセット内の特定のリソースブロックペアの順序に基づいて前記メッセージを生成するための手段をさらに備える、請求項９に記載の装置。
【請求項１３】
前記メッセージに基づいて、複数のパイロットシーケンスからパイロットシーケンスを選択するための手段をさらに備え、ここにおいて、前記メッセージを示す前記情報が、前記選択されたパイロットシーケンスであり、前記選択されたパイロットシーケンスが、前記ピア発見メッセージを搬送する前記特定のリソースブロックペア内の基準信号中で送信される、請求項９に記載の装置。
【請求項１４】
実行されたとき、コンピュータに、請求項１から８のいずれか一項に記載の方法を実行させるためのコードを備える、コンピュータ実行可能なコードを記憶するコンピュータ可読媒体。
【発明の詳細な説明】
【技術分野】
【０００１】
関連出願の相互参照
[0001]本出願は、その全体が参照により本明細書に明確に組み込まれる、２０１４年１月３０日に出願された「MIXED SIZE EXPRESSION PEER DISCOVERY IN WWAN」と題する米国特許出願第１４／１６８，２６６号の利益を主張する。
【０００２】
[0002]本発明は、一般に通信システムに関し、より詳細には、ワイヤレスワイドエリアネットワーク（ＷＷＡＮ）における混合サイズ表現ピア発見に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置はユーザ機器（ＵＥ）であり得る。ＵＥは、第２の時間サイクル中のリソースブロックペアの第２のセットへの第１の時間サイクル中のリソースブロックペアの第１のセットのマッピングに基づいて、第２の時間サイクル中のピア発見メッセージをそれの上で送信すべき、リソースブロックペアの第２のセットを決定する。マッピングは、リソースブロックペアの第１のセット中の各リソースブロックペアとリソースブロックペアの第２のセット中の対応するリソースブロックペアとの間の１対１のマッピングである。リソースブロックペアの第１のセット中のリソースブロックペアは、隣接する割り振られたリソース中にあり得る。さらに、ＵＥは、リソースブロックペアの決定された第２のセット中でピア発見メッセージを送信する。
【０００６】
[0006]本開示の一態様では、方法、コンピュータプログラム製品、および装置が提供される。本装置はＵＥであり得る。ＵＥは、ピア発見メッセージを搬送するためのリソースブロックペアのセットを選択する。さらに、ＵＥは、リソースブロックペアのセット上でピア発見信号を送信する。リソースブロックペアのセットのうちの特定のリソースブロックペア上のピア発見信号が、ピア発見メッセージと次のリソースブロックペアのロケーションを示す情報とを含む。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]デバイス間通信システムの図。
【図８Ａ】[0014]ピア発見リソースホッピングを示すための図。
【図８Ｂ】ピア発見リソースホッピングを示すための図。
【図９Ａ】[0015]例示的な方法の第１のセットを示すための図。
【図９Ｂ】例示的な方法の第１のセットを示すための図。
【図１０Ａ】[0016]例示的な方法の第１のセットを示すための追加の図。
【図１０Ｂ】例示的な方法の第１のセットを示すための追加の図。
【図１１】[0017]例示的な方法の第１のセットを示すための別の図。
【図１２Ａ】[0018]例示的な方法の第２のセットを示すための図。
【図１２Ｂ】例示的な方法の第２のセットを示すための図。
【図１３】[0019]例示的な方法の第１のセットのための第１のフローチャート。
【図１４】[0020]例示的な方法の第１のセットのための第２のフローチャート。
【図１５】[0021]例示的な方法の第２のセットのためのフローチャート。
【図１６】[0022]例示的な装置における異なるモジュール／手段／構成要素間のデータフローを示す概念データフロー図。
【図１７】[0023]処理システムを採用する装置のためのハードウェア実装形態の一例を示す図。
【発明を実施するための形態】
【０００８】
[0024]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0025]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１０】
[0026]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0027]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0028]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のＵＥ１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１３】
[0029]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0030]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0031]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用されることがある。
【００１６】
[0032]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１７】
[0033]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１８】
[0034]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0035]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0036]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0037]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0038]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0039]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２４】
[0040]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0041]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２６】
[0042]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0043]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0044]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0045]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0046]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0047]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0048]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0049]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0050]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0051]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３６】
[0052]図７はデバイス間通信システム７００の図である。デバイス間通信システム７００は複数のワイヤレスデバイス７０４、７０６、７０８、７１０を含む。デバイス間通信システム７００は、たとえば、ＷＷＡＮなどのセルラー通信システムと重なり得る。ワイヤレスデバイス７０４、７０６、７０８、７１０の一部は、ＤＬ／ＵＬ  ＷＷＡＮスペクトルを使用して（「ピアツーピア通信」とも呼ばれる）デバイス間通信において互いに通信し、一部は基地局７０２と通信し、一部は両方を行い得る。たとえば、図７に示されているように、ワイヤレスデバイス７０８、７１０はデバイス間通信中であり、ワイヤレスデバイス７０４、７０６はデバイス間通信中である。ワイヤレスデバイス７０４、７０６は基地局７０２とも通信している。
【００３７】
[0053]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。説明を簡略化するために、例示的な方法および装置についてＬＴＥのコンテキスト内で説明する。ただし、例示的な方法および装置は、様々な他のワイヤレスデバイス間通信システムにより一般的に適用可能であることを当業者は理解されよう。
【００３８】
[0054]ＷＷＡＮでは、ＵＥ間のすべての通信が、ＵＥとサービング基地局との間のアップリンク／ダウンリンクチャネルを通る。２つの通信しているＵＥが互いの近傍にある場合、基地局を通ることなしの直接ピアツーピア通信が、新しいクラスのトラフィックを可能にし、基地局負荷を低減し得る。そのようなピアツーピア通信を可能にするために、互いの近傍にあるＵＥは、互いを発見することが可能でなければならない。そのようなピア発見を可能にする１つの方法は、ＵＥがピア発見信号を周期的に送信することを可能にすることによる方法である。ＵＥは、他のＵＥのピア発見信号をリッスンし、復号することによって、別のＵＥの存在を検出し得る。
【００３９】
[0055]ＵＥは、受信されたピア発見信号から少なくとも２つのタイプの情報を見分け得る。１つのタイプの情報は、受信されたピア発見信号の信号強度である。信号強度は、ピア発見信号がそれから受信されるＵＥの近接度の指示である。ＵＥから受信されたピア発見信号の信号強度が高い場合、ＵＥは極近傍にある可能性があるが、ＵＥから受信されたピア発見信号の信号強度が低い場合、ＵＥは極近傍にある可能性は低い。別のタイプの情報は、ピア発見信号内で送信された表現／メッセージである。表現は、どんなタイプのアプリケーション／サービスが、表現を送信するＵＥに関係のあるものであるかを示し得る。ピア発見信号中で搬送され得る多くの異なるアプリケーション／サービスがあり得るので、表現のサイズは、異なるＵＥについて異なり得る。したがって、ピア発見信号がその上で送信される時間／周波数リソースのサイズは、異なるＵＥについて異なり得る。ピア発見信号がその上で送信され得る最も小さい可能なサイズは、２つのリソースブロックである（図３参照）。２つのリソースブロックはリソースブロックペアと呼ばれることがある。異なるサイズの表現を搬送するピア発見信号は、複数のリソースブロックペア上で送信され得る。たとえば、特定のＵＥについて、表現をもつピア発見信号がｎ個のリソースブロックペア上で送信され得、ここで、ｎは１よりも大きいかまたはそれに等しい。
【００４０】
[0056]半二重制約がある場合、ピア発見信号をサブフレーム中で送信するＵＥは、他のＵＥからのピア発見信号を同じサブフレーム中で受信することができない。ＵＥのどんなペアも常にピア発見信号を同じサブフレーム中で送信しているとは限らないように、割り振られたリソースをホッピングすることによって、半二重制約は克服される。ホッピングはまた、それのうちの１つが受信ＵＥに近く、別の１つが受信ＵＥから遠く離れている２つのＵＥが、常に同じサブフレーム上で送信するとは限らないことを保証することによって、（受信ＵＥが遠く離れたＵＥを発見するのを妨げることがある）近遠問題（near far problem）を低減するのを助ける。
【００４１】
[0057]図８Ａおよび図８Ｂは、ピア発見リソースホッピングを示すための図８００、８５０である。図８Ａに示されているように、同じサイズのリソース上ですべてのピア発見信号が送信されるとき、ホッピングは、ピア発見信号の連続するピア発見リソース全体が重複なしにホッピングされるように、第１のブロックのインデックスに基づいてホッピングするように設計され得る。ただし、ピア発見信号が、異なるサイズのリソース上で送信され、第１のブロックのインデックスに基づいてホッピングするとき、２つのピア発見リソースが同じサブフレーム中にあり、重複することになる可能性がある。たとえば、図８Ｂに示されているように、異なるサイズのリソース上でＵＥ  ＵＥ1、ＵＥ2、およびＵＥ3によってピア発見信号が送信される。リソース８１０がＵＥ  ＵＥ1とＵＥ2の両方によって利用されるとき、ＵＥ  ＵＥ１およびＵＥ２によって利用されるピア発見リソースは重複する。したがって、混合サイズ表現を含むピア発見信号を送信するために利用されるピア発見リソースをホッピングするための方法および装置が必要とされる。
【００４２】
[0058]図９Ａおよび図９Ｂは、例示的な方法の第１のセットを示すための図９００、９５０である。例示的な方法の第１のセットでは、リンクリストを形成するために発見リソース（リソースブロックペアのセット）が互いにリンクされ得る。図９Ａ、図９Ｂに示されている例では、ＵＥは、ピア発見の各時間サイクルのためにＵＥに割り振られる発見リソースのセット内の５つのリソースブロックペアを割り振られる。時間サイクルは、フレームのセットのうちの特定のフレーム内の特定のサブフレームを含み得る。たとえば、ピア発見のために、ＵＥは、ｐ個のフレーム内のｍ番目のフレームごとにサブフレーム５を割り振られ得る。時間サイクルｔ0において、割り振られた５つのリソースブロックペアは、隣接する発見リソースに位置する。隣接する発見リソースは、ピア発見のために割り振られる発見リソース中で隣接しており、異なるサブフレーム中にあることがある。隣接する発見リソースが異なるサブフレーム中にあるとき、隣接する発見リソースは、ピア発見のために割り振られるサブフレーム中の最後の発見リソースと、ピア発見のために割り振られる後続のサブフレーム中の第１の発見リソースとを含む。発見リソース９１０は発見リソース９１２にリンクされ、発見リソース９１２は発見リソース９１４にリンクされ、発見リソース９１４は発見リソース９１６にリンクされ、発見リソース９１６は、ピア発見のために割り振られた次のサブフレーム中の発見リソース９１８にリンクされる。特定の時間サイクル中の発見リソースは、他の時間サイクル中の発見リソースとの間に所定の１対１のマッピングを有する。たとえば、時間サイクルｔ0中の発見リソース９１０は時間サイクルｔn中の発見リソース９２０にマッピングし得、時間サイクルｔ0中の発見リソース９１２は時間サイクルｔn中の発見リソース９２２にマッピングし得、時間サイクルｔ0中の発見リソース９１４は時間サイクルｔn中の発見リソース９２４にマッピングし得、時間サイクルｔ0中の発見リソース９１６は時間サイクルｔn中の発見リソース９２６にマッピングし得、時間サイクルｔ0中の発見リソース９１８は時間サイクルｔn中の発見リソース９２８にマッピングし得る。したがって、発見リソース９２０は発見リソース９２２にリンクされ、発見リソース９２２は発見リソース９２４にリンクされ、発見リソース９２４は発見リソース９２６にリンクされ、発見リソース９２６は発見リソース９２８にリンクされる。図９Ｂは、隣接しない発見リソース中の発見リソース９２０〜９２８を示すが、発見リソース９２０〜９２８は、発見リソース９１０〜９１８と同様に隣接する発見リソース中にあることができる。ｉ≠０の場合の各時間サイクルｔiでは、発見リソース９１０〜９１８からマッピングされる発見リソースは、あちこちにホッピングして発見リソースの異なるセットに到り得、そのうちのいくつかは隣接するリソース中にあり得、そのうちのいくつかは隣接しない発見リソース中にあり得る。
【００４３】
[0059]時間サイクルｔn中の５つの発見リソース上でピア発見信号を送信することを望むＵＥは、時間サイクルｔn-1中の発見リソースの各々上の受信電力を決定し得る。ＵＥは、決定された受信電力に基づいて時間サイクルｔn中の発見リソースのセットを選択し得る。たとえば、ＵＥは、しきい値よりも小さい受信電力を有する発見リソースのセットを選択し得る。別の例では、ＵＥは、最も低い合計受信電力を有する発見リソースのセットを選択し得る。別の例では、ＵＥは、しきい値よりも小さい合計受信電力を有する発見リソースからランダムに発見リソースのセットを選択し得る。
【００４４】
[0060]ｅＮＢは、ピア発見リソースを動的にまたは静的にリンクすべきかどうかを決定し得る。動的リンキングの場合、ＵＥが、それのサービングｅＮＢに、ＵＥが使用することを望む発見リソースを送り得る。ｅＮＢは、１つまたは複数のファクタに基づいて発見リソースをリンクすべきかどうかを決定し得る。たとえば、ｅＮＢは、発見リソースが他の近くのＵＥによって現在利用されているかどうかに基づいて、発見リソースをリンクすべきかどうかを決定し得る。別の例では、ｅＮＢは、ユーザが特定の発見リソースの使用の代金を支払うべきであると仮定して、ＵＥのユーザによって支払われた料金に基づいて、発見リソースをリンクすべきかどうかを決定し得る。決定を行うと、ｅＮＢは、ＵＥに、そのＵＥが特定の発見リソースを使用し得るかどうかを通知し得る。ｅＮＢは、すべてのＵＥに動的リンキングをブロードキャストし得る。静的リンキングの場合、ＵＥは、決定された受信電力に基づいて、時間サイクルｔn中の発見リソースの以前にリンクされたセットを選択し得る。
【００４５】
[0061]上記で説明したように、時間サイクルｔ0中の隣接する発見リソースのセットから時間サイクルｔn中の発見リソースのセットが決定され得る。ＵＥは発見リソース９２０〜９２８上で送信することを決定すると仮定する。ＵＥは、時間サイクルｔn中のリソースブロックペア９２０〜９２８のセットへの時間サイクルｔ0中のリソースブロックペア９１０〜９１８のセットの１対１のマッピングに基づいて、時間サイクルｔn中のピア発見メッセージをそれの上で送信すべき、リソースブロックペア９２０〜９２８のセットを決定する。リソースブロックペア９１０〜９１８のセット中のリソースブロックペアは、隣接する割り振られたリソース中にあり得る。その後、ＵＥは、リソースブロックペア９２０〜９２８の決定されたセット中でピア発見メッセージを送信する。
【００４６】
[0062]図１０Ａおよび図１０Ｂは、例示的な方法の第１のセットを示すための追加の図１０００、１０５０である。ＵＥは、ピア発見メッセージ内にまたはピア発見メッセージを搬送する同じリソースブロックペア中で送信されるパイロットシーケンス内にメッセージを挿入することによって、そのＵＥが特定のリソースブロックペアを使用していることを示し得る。特に、ＵＥは、リソースブロックペアのセット内の特定のリソースブロックペアの順序に基づいてメッセージを生成し得、ピア発見メッセージとともにメッセージを示す情報を送信し得る。一構成では、ＵＥは、メッセージに基づいて複数のパイロットシーケンスからパイロットシーケンスを選択し得る。そのような構成では、メッセージを示す情報は、選択されたパイロットシーケンスであり、選択されたパイロットシーケンスは、ピア発見メッセージを搬送する特定のリソースブロックペア内の基準信号中で送信される。別の構成では、ＵＥは、ピア発見メッセージ内の特定のリソースブロックペア中でメッセージを送信し得る。
【００４７】
[0063]一例では、ＵＥは、ピア発見メッセージを搬送するリソースブロックペア内で「００」を示すことによって、リソースブロックペアがそれだけである（１つのリソースブロックペアのみが送信される）ことを示し得る。ＵＥは、リソースブロックペア内で「０１」を示すことによって、リソースブロックペアがリソースブロックペアのセットの最初にあることを示し得る。ＵＥは、リソースブロックペア内で「１０」を示すことによって、リソースブロックペアがリソースブロックペアのセットの中央にあることを示し得る。ＵＥは、リソースブロックペア内で「１１」を示すことによって、リソースブロックペアがリソースブロックペアのセットの最後にあることを示し得る。
【００４８】
[0064]図１０Ａを参照すると、第１のＵＥは、時間サイクルｔ0中にリソースブロックペア１０１０、１０１２、１０１４、１０１６内でピア発見メッセージを送信し得る。第１のＵＥは、リソースブロックペア１０１０がリソースブロックペア１０１０〜１０１６のセットの最初にあることを示すために、リソースブロックペア１０１０内でメッセージ「０１」を送信し得る。第１のＵＥは、リソースブロックペア１０１２、１０１４がリソースブロックペア１０１０〜１０１６のセットの中央にあることを示すために、リソースブロックペア１０１２、１０１４内でメッセージ「１０」を送信し得る。第１のＵＥは、リソースブロックペア１０１６がリソースブロックペア１０１０〜１０１６のセットの最後にあることを示すために、リソースブロックペア１０１６内でメッセージ「１１」を送信し得る。第２のＵＥは、リソースブロックペア１０１８がリソースブロックペア１０１８のセット中の唯一のリソースブロックペアであることを示すために、リソースブロックペア１０１８内でメッセージ「００」を送信し得る。
【００４９】
[0065]図１０Ｂを参照すると、第１のＵＥは、時間サイクルｔn中にリソースブロックペア１０２０、１０２２、１０２４、１０２６内でピア発見メッセージを送信し得る。リソースブロックペア１０２０、１０２２、１０２４、１０２６は、それぞれリソースブロックペア１０１０、１０１２、１０１４、１０１６からの１対１のマッピングを有する。第１のＵＥは、リソースブロックペア１０２０がリソースブロックペア１０２０〜１０２６のセットの最初にあることを示すために、リソースブロックペア１０２０内でメッセージ「０１」を送信し得る。第１のＵＥは、リソースブロックペア１０２２、１０２４がリソースブロックペア１０２０〜１０２６のセットの中央にあることを示すために、リソースブロックペア１０２２、１０２４内でメッセージ「１０」を送信し得る。第１のＵＥは、リソースブロックペア１０２６がリソースブロックペア１０２０〜１０２６のセットの最後にあることを示すために、リソースブロックペア１０２６内でメッセージ「１１」を送信し得る。第２のＵＥは、時間サイクルｔn中にリソースブロックペア１０２８内でピア発見メッセージを送信し得る。リソースブロックペア１０２８は、リソースブロックペア１０１８からの１対１のマッピングを有する。第２のＵＥは、リソースブロックペア１０２８がリソースブロックペア１０２８のセット中の唯一のリソースブロックペアであることを示すために、リソースブロックペア１０２８内でメッセージ「００」を送信し得る。
【００５０】
[0066]リソースブロックペアのセット内の特定のリソースブロックペアの順序を示すメッセージは、受信ＵＥが、どのリソースブロックペアが同じＰＤ信号に属するかを決定することを可能にする。たとえば、ＵＥが、リソースブロックペア１０２０〜１０２６を含むリソースブロックペア中でピア発見メッセージを受信し得る。リソースブロックペア１０２０中のメッセージ「０１」に基づいて、ＵＥは、リソースブロックペア１０２０がリソースブロックペアのセットの第１のリソースブロックペアであると決定する。１対１のマッピングに基づいて、ＵＥは、時間サイクルｔn中のリソースブロックペア１０２０を時間サイクルｔ0中のリソースブロックペア１０１０にマッピングし得る。静的リンキングの場合、ピア発見メッセージを送信するために使用されるリソースブロックペアが、時間サイクルｔ0中の隣接するリソースブロックペア中にあるとき、ＵＥは、リソースブロックペア１０１２がリソースブロックペア１０１０に後続する、したがって（１対１のマッピングに基づいて）、リソースブロックペア１０２２がリソースブロックペア１０２０に後続すると決定し得る。リソースブロックペア１０２２中のメッセージ「１０」に基づいて、ＵＥは、リソースブロックペア１０２２がリソースブロックペアのセットの中央にあると決定する。ＵＥは、リソースブロックペア１０１４がリソースブロックペア１０１２に後続し、したがって、リソースブロックペア１０２４がリソースブロックペア１０２２に後続すると決定し得る。リソースブロックペア１０２４中のメッセージ「１０」に基づいて、ＵＥは、リソースブロックペア１０２４がリソースブロックペアのセットの中央にあると決定する。ＵＥは、リソースブロックペア１０１６がリソースブロックペア１０１４に後続し、したがって、リソースブロックペア１０２６がリソースブロックペア１０２４に後続すると決定し得る。リソースブロックペア１０２６中のメッセージ「１１」に基づいて、ＵＥは、リソースブロックペア１０２６がリソースブロックペアのセットの最後のリソースブロックペアであると決定する。ＵＥはまた、リソースブロックペアのセットがリソースブロックペア１０２０〜１０２６を含むと決定する。
【００５１】
[0067]図１１は、例示的な方法の第１のセットを示すための別の図１１００である。図１１は、ＬＴＥにおけるＵＬフレーム構造の一例を示す。ＵＬフレーム（１０ｍｓ）は、１０個の等しいサイズのサブフレーム１１０２に分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。リソースブロックは、周波数領域中に１２個の連続するサブキャリアを含んでおり、時間領域中に７個の連続するＳＣ−ＦＤＭＡシンボルを含んでおり、すなわち８４個のリソース要素を含んでいることがある。リソース要素１１０４はデータおよび／または制御情報を含み得る。リソース要素１１０６は基準／パイロット信号を含み得る。
【００５２】
[0068]ＵＥが、特定のリソースブロックペアの順序を示すメッセージを生成するとき、ＵＥは、メッセージに基づいて複数のパイロットシーケンスからパイロットシーケンスを選択し得る。ＵＥは、選択されたパイロットシーケンスをリソース要素１１０６内の（「Ｒ」として示された）基準信号中で送信し得る。代替的に、ＵＥは、特定のリソースブロックペアの順序を示すメッセージを生成し、リソース要素１１０４内でピア発見メッセージとともにメッセージを送信し得る。リソース要素１１０４は、「Ｒ」指示なしのリソース要素のすべてを含む。
【００５３】
[0069]図１２Ａおよび１２Ｂは、それぞれ例示的な方法の第２のセットを示すための図１２００および図１２５０である。例示的な方法の第２のセットでは、ＵＥが、望ましい利用可能なリソースブロックペアを選択し得る（たとえば、発見リソースは、しきい値よりも小さい受信電力を有するか、最も低い合計受信電力を有するか、またはしきい値よりも小さい合計受信電力を有する発見リソースからランダムに選択される）。ＵＥは、ＵＥが使用するリソースブロックペアの数に従ってピア発見メッセージを部分に分け得る。ＵＥは、次のリソースブロックペアの絶対ロケーションまたは相対オフセットを示す追加のフィールドを追加し得る。絶対ロケーションまたは相対オフセットは、現在の時間サイクルｔnに対するものであり得、または第１の時間サイクルｔ0に対するものであり得る。ＵＥは、次いで、追加のフィールドをもつピア発見メッセージの別個の部分を別々に符号化し、符号化されたメッセージの各々を、選択されたリソースブロックペアに変調する。
【００５４】
[0070]図１２Ａ、図１２Ｂを参照すると、ＵＥが、ピア発見メッセージを送信するためのリソースブロックペア１２２０、１２２２、１２２４、１２２６のセットを選択すると仮定する。ＵＥは、ピア発見メッセージとともに次のリソースブロックペアのロケーションを示す情報を含めることを決定し得る。したがって、ＵＥは、ピア発見メッセージとともに情報ｎ1をリソースブロックペア１２２０中に含め、ピア発見メッセージとともに情報ｎ2をリソースブロックペア１２２２中に含め、およびピア発見メッセージとともに情報ｎ3をリソースブロックペア１２２４中に含め得る。一構成では、情報ｎ1、ｎ2、ｎ3は、それぞれリソースブロックペア１２２２、１２２４、１２２６の次のリソースブロックペアのロケーション（絶対ロケーションまたは相対オフセット）を示す情報である。たとえば、リソースブロックペア１２２０中の情報ｎ1はリソースブロックペア１２２２のロケーションを示し得、リソースブロックペア１２２２中の情報ｎ2はリソースブロックペア１２２４のロケーションを示し得、リソースブロックペア１２２４中の情報ｎ3はリソースブロックペア１２２６のロケーションを示し得る。リソースブロックペア１２２２のロケーションを示す情報ｎ1は、リソースブロックペア１２２２の絶対ロケーションまたはリソースブロックペア１２２０に対する相対オフセットであり得る。リソースブロックペア１２２４のロケーションを示す情報ｎ2は、リソースブロックペア１２２４の絶対ロケーションまたはリソースブロックペア１２２２に対する相対オフセットであり得る。リソースブロックペア１２２６のロケーションを示す情報ｎ3は、リソースブロックペア１２２６の絶対ロケーションまたはリソースブロックペア１２２４に対する相対オフセットであり得る。
【００５５】
[0071]別の構成では、情報ｎ1、ｎ2、ｎ3は、リソースブロックペア１２１２、１２１４、１２１６の次のリソースブロックペアのロケーション（絶対ロケーションまたは相対オフセット）を示す情報である。たとえば、リソースブロックペア１２２０中の情報ｎ1はリソースブロックペア１２１２のロケーションを示し得、リソースブロックペア１２２２中の情報ｎ2はリソースブロックペア１２１４のロケーションを示し得、リソースブロックペア１２２４中の情報ｎ3はリソースブロックペア１２１６のロケーションを示し得る。リソースブロックペア１２１２のロケーションを示す情報ｎ1は、リソースブロックペア１２１２の絶対ロケーションまたはリソースブロックペア１２１０に対する相対オフセットであり得る。リソースブロックペア１２１４のロケーションを示す情報ｎ2は、リソースブロックペア１２１４の絶対ロケーションまたはリソースブロックペア１２１２に対する相対オフセットであり得る。リソースブロックペア１２１６のロケーションを示す情報ｎ3は、リソースブロックペア１２１６の絶対ロケーションまたはリソースブロックペア１２１４に対する相対オフセットであり得る。情報ｎ1、ｎ2、ｎ3が絶対ロケーションである場合、リソースブロックペア１２１２、１２１４、１２１６のロケーションと、リソースブロックペア１２１２、１２１４、１２１６からそれぞれリソースブロックペア１２２２、１２２４、１２２６への所定の１対１のマッピングとに基づいて、ＵＥは、リソースブロックペア１２２２、１２２４、１２２６のロケーションを決定し得る。情報ｎ1、ｎ2、ｎ3が相対オフセットである場合、リソースブロックペア１２１０、１２１２、１２１４、１２１６のロケーションと、リソースブロックペア１２１２、１２１４、１２１６からそれぞれリソースブロックペア１２２２、１２２４、１２２６への所定の１対１のマッピングとに基づいて、ＵＥは、リソースブロックペア１２２２、１２２４、１２２６のロケーションを決定し得る。その後、ＵＥは、リソースブロックペア１２２０、１２２２、１２２４、１２２６のセット上でピア発見信号を送信する。
【００５６】
[0072]図１３は、例示的な方法の第１のセットのための第１のフローチャート１３００である。本方法はＵＥによって実行され得る。図１３に示されているように、ステップ１３０８において、ＵＥは、第２の時間サイクル中のリソースブロックペアの第２のセットへの第１の時間サイクル中のリソースブロックペアの第１のセットのマッピングに基づいて、第２の時間サイクル中のピア発見メッセージをそれの上で送信すべき、リソースブロックペアの第２のセットを決定する。マッピングは、リソースブロックペアの第１のセット中の各リソースブロックペアとリソースブロックペアの第２のセット中の対応するリソースブロックペアとの間の１対１のマッピングである。リソースブロックペアの第１のセット中のリソースブロックペアは、隣接する割り振られたリソース中にあり得る。たとえば、図９Ａ、図９Ｂを参照すると、ＵＥが、第２の時間サイクルｔn中のリソースブロックペア９２０〜９２８の第２のセットへの第１の時間サイクルｔ0中のリソースブロックペア９１０〜９１８の第１のセットのマッピングに基づいて、第２の時間サイクルｔn中のピア発見メッセージをそれの上で送信すべき、リソースブロックペア９２０〜９２８の第２のセットを決定する。マッピングは、リソースブロックペア９１０〜９１８の第１のセット中の各リソースブロックペアと、リソースブロックペア９２０〜９２８の第２のセット中の対応するリソースブロックペアとの間の１対１のマッピングである。リソースブロックペア９１０〜９１８の第１のセット中のリソースブロックペアは、隣接する割り振られたリソース中にある。
【００５７】
[0073]ステップ１３１６において、ＵＥは、リソースブロックペアの決定された第２のセット中でピア発見メッセージを送信する。リソースブロックペアの第２のセット中のリソースブロックペアは、隣接しない割り振られたリソース中にあり得る。たとえば、図９Ｂを参照すると、ＵＥは、リソースブロックペア９２０〜９２８の決定された第２のセット中でピア発見メッセージを送信し得る。図９Ｂに示されているように、リソースブロックペア９２０〜９２８の第２のセット中のリソースブロックペアは、隣接しない割り振られたリソース中にあり得る。
【００５８】
[0074]ステップ１３０８の後に、ステップ１３１０において、ＵＥは、リソースブロックペアの決定された第２のセットを示す情報を基地局に送る。さらに、ステップ１３１２において、ＵＥは、基地局から、リソースブロックペアの決定された第２のセットが利用され得るかどうか指示を受信する。ステップ１３０８の前に、ステップ１３０２において、ＵＥは、第２の時間サイクル中のリソースブロックペアへの第１の時間サイクル中の（隣接し得る）リソースブロックペアのマッピングに基づいて、第２の時間サイクル中のリソースブロックペアの複数のセットを決定する。ステップ１３０４において、ＵＥは、第２の時間サイクル中のリソースブロックペアの複数のセットに関連付けられた受信電力を決定する。リソースブロックペアの複数のセットは、リソースブロックペアの第２のセットを含み得る。ステップ１３０６において、ＵＥは、リソースブロックペアの第２のセットがしきい値よりも小さい受信電力を有すると決定する。ステップ１３１２の後およびステップ１３１６の前に、ステップ１３１４において、ＵＥは、リソースブロックペアの第２のセットがしきい値よりも小さい受信電力を有すると決定すると、リソースブロックペアの第２のセット中でピア発見メッセージを送信することを決定する。リソースブロックペアの第２のセットは、リソースブロックペアの複数のセットの最も低い受信電力を有し得る。
【００５９】
[0075]たとえば、図９Ａ、図９Ｂを参照すると、ＵＥは、第２の時間サイクルｔn中のリソースブロックペアへの第１の時間サイクルｔ0中のリソースブロックペアのマッピングに基づいて、第２の時間サイクルｔn中のリソースブロックペアの複数のセットを決定し得る（リソースブロックペアの複数のセットのうちの１つは、リソースブロックペア９２０〜９２８のセットを含む）。静的リンキングの場合、第２の時間サイクルｔn中のリソースブロックペアの複数のセットのうちのリソースブロックペアの各セットが、第１の時間サイクルｔ0中の隣接するリソースブロックペアにおけるマッピングを有するとき、ＵＥは、第１の時間サイクルｔ0から第２の時間サイクルｔnに隣接するリソースをマッピングすることによって、リソースブロックペアの複数のセットを決定し得る。ＵＥは、第２の時間サイクルｔn中のリソースブロックペアの複数のセットに関連付けられた受信電力を決定し得る。したがって、第２の時間サイクルｔn中のリソースブロックペアの複数のセットのうちの１つが、リソースブロックペア９２０〜９２８のセットを含むとき、ＵＥは、リソースブロックペア９２０〜９２８内の受信電力を決定する。ＵＥはリソースブロックペアの第２のセットがしきい値よりも小さい受信電力を有すると決定すると仮定する。ＵＥは、次いで、リソースブロックペア９２０〜９２８の第２のセットがしきい値よりも小さい受信電力を有すると決定すると、リソースブロックペア９２０〜９２８の第２のセット中でピア発見メッセージを送信することを決定し得る（リソースブロックペア９２０〜９２８は、しきい値よりも小さい受信電力を有するか、最も低い合計受信電力を有するか、またはしきい値よりも小さい合計受信電力を有するリソースブロックペアの複数のセットからランダムに選択される）。
【００６０】
[0076]図１４は、例示的な方法の第１のセットのための第２のフローチャート１４００である。本方法はＵＥによって実行され得る。図１４に示されているように、ステップ１４１０において、ＵＥは、リソースブロックペアの第２のセット内の特定のリソースブロックペアの順序に基づいてメッセージを生成する。さらに、ステップ１４１４において、ＵＥは、ピア発見メッセージとともにメッセージを示す情報を送信する。ステップ１４１０の後およびステップ１４１４の前に、ステップ１４１２において、ＵＥは、メッセージに基づいて複数のパイロットシーケンスからパイロットシーケンスを選択する。メッセージを示す情報は、選択されたパイロットシーケンスであり得、選択されたパイロットシーケンスは、ピア発見メッセージを搬送する特定のリソースブロックペア内の基準信号中で送信され得る。代替的に、メッセージは、ピア発見メッセージ内の特定のリソースブロックペア中で送信され得る。
【００６１】
[0077]たとえば、図１０Ｂを参照すると、ＵＥが、リソースブロックペアの第２のセット内の特定のリソースブロックペアの順序に基づいてメッセージ（たとえば、「００」、「０１」、「１０」または「１１」）を生成し得る。ＵＥは、ピア発見メッセージとともにメッセージを示す情報を送信する。図１１を参照すると、ＵＥは、メッセージに基づいて複数のパイロットシーケンスからパイロットシーケンスを選択し得る。メッセージを示す情報は、選択されたパイロットシーケンスであり得、選択されたパイロットシーケンスは、ピア発見メッセージを搬送する特定のリソースブロックペア内の基準信号（リソース要素１１０６を参照）中で送信され得る。代替的に、メッセージは、（リソース要素１１０４内で）ピア発見メッセージ内の特定のリソースブロックペア中で送信され得る。
【００６２】
[0078]図１５は、例示的な方法の第２のセットのためのフローチャート１５００である。本方法はＵＥによって実行され得る。図１５に示されているように、ステップ１５１０において、ＵＥは、ピア発見メッセージを搬送するためのリソースブロックペアのセットを選択する。ステップ１５１２において、ＵＥは、次のリソースブロックペアのロケーションを示す情報を含むように、リソースブロックペアのセット中の各リソースブロックペア中で送信される情報を別々に符号化する。ステップ１５１４において、ＵＥは、リソースブロックペアのセット上でピア発見信号を送信する。リソースブロックペアのセットのうちの特定のリソースブロックペア上のピア発見信号は、ピア発見メッセージと次のリソースブロックペアのロケーションを示す情報とを含む。次のリソースブロックペアのロケーションを示す情報は、リソースブロックペアのセットのうちの次のリソースブロックペアであり得る。次のリソースブロックペアのロケーションを示す情報は、リソースブロックペアの第２のセットのうちの次のリソースブロックペアであり得る。リソースブロックペアの第２のセットは第１の時間サイクル中にあり得、リソースブロックペアのセットは第２の時間サイクル中にあり得る。次のリソースブロックペアを示すロケーションは、複数のリソースブロックペア内の絶対ロケーションまたは特定のリソースブロックペアに対する相対オフセットであり得る。
【００６３】
[0079]たとえば、図１２Ａ、図１２Ｂを参照すると、ＵＥは、ピア発見メッセージを搬送するためのリソースブロックペア１２２０〜１２２６のセットを選択し得る。ＵＥは、次のリソースブロックペアのロケーションを示す情報を含むように、リソースブロックペア１２２０〜１２２６のセット中の各リソースブロックペア中で送信される情報（たとえば、ｎ1、ｎ2、ｎ3）を別々に符号化し得る。リソースブロックペア１２２６が、ピア発見メッセージを搬送する最後のリソースブロックペアであるとき、ＵＥは、リソースブロックペア１２２６内ではなく、リソースブロックペア１２２０〜１２２４内の次のリソースブロックペアのロケーションを示す情報を符号化し得る。ＵＥは、リソースブロックペア１２２０〜１２２６のセット上でピア発見信号を送信し得る。リソースブロックペア１２２０〜１２２６のセットのうちの特定のリソースブロックペア上のピア発見信号は、ピア発見メッセージと次のリソースブロックペアのロケーションを示す情報（たとえば、ｎ1、ｎ2、ｎ3）とを含む。リソースブロックペア１２２６の場合、追加の情報がリソースブロックペア中で符号化されないので、符号化された追加の情報がないという事実自体が、次のリソースブロックペアがないことを示す情報であり得る。次のリソースブロックペアのロケーションを示す情報は、リソースブロックペア１２２０〜１２２６のセットのうちの次のリソースブロックペアであり得る。次のリソースブロックペアのロケーションを示す情報は、リソースブロックペア１２１０〜１２１６の第２のセットのうちの次のリソースブロックペアであり得る。リソースブロックペア１２１０〜１２１６の第２のセットは第１の時間サイクルｔ0中にあり得、リソースブロックペア１２２０〜１２２６の第２のセットは第２の時間サイクルｔn中にあり得る。次のリソースブロックペアを示すロケーションは、複数のリソースブロックペア内の絶対ロケーションまたは特定のリソースブロックペアに対する相対オフセットであり得る。
【００６４】
[0080]図１６は、例示的な装置１６０２中の異なるモジュール／手段／構成要素間のデータフローを示す概念データフロー図１６００である。本装置はＵＥであり得る。本装置は、第２の時間サイクル中のリソースブロックペアの第２のセットへの第１の時間サイクル中のリソースブロックペアの第１のセットのマッピングに基づいて、第２の時間サイクル中のピア発見メッセージをそれの上で送信すべき、リソースブロックペアの第２のセットを決定するように構成された、リソースブロックペア決定モジュール１６０６を含む。マッピングは、リソースブロックペアの第１のセット中の各リソースブロックペアとリソースブロックペアの第２のセット中の対応するリソースブロックペアとの間の１対１のマッピングである。リソースブロックペアの第１のセット中のリソースブロックペアは、隣接する割り振られたリソース中にあり得る。本装置は、リソースブロックペアの決定された第２のセット中でピア発見メッセージを送信するように構成された、送信モジュール１６１０をさらに含む。リソースブロックペアの第２のセット中のリソースブロックペアは、隣接しない割り振られたリソース中にあり得る。送信モジュール１６１０は、リソースブロックペアの決定された第２のセットを示す情報を基地局に送るように構成され得る。受信モジュール１６０４は、基地局から、リソースブロックペアの決定された第２のセットが利用され得るかどうか指示を受信するように構成され得る。リソースブロックペア決定モジュール１６０６は、第２の時間サイクル中のリソースブロックペアへの第１の時間サイクル中のリソースブロックペアのマッピングに基づいて、第２の時間サイクル中のリソースブロックペアの複数のセットを決定するように構成され得る。リソースブロックペア決定モジュール１６０６は、第２の時間サイクル中のリソースブロックペアの複数のセットに関連付けられた受信電力を決定するように構成され得る。リソースブロックペアの複数のセットは、リソースブロックペアの第２のセットを含み得る。リソースブロックペア決定モジュール１６０６は、リソースブロックペアの第２のセットがしきい値よりも小さい受信電力を有すると決定するように構成され得る。リソースブロックペア決定モジュール１６０６は、リソースブロックペアの第２のセットがしきい値よりも小さい受信電力を有すると決定すると、リソースブロックペアの第２のセット中でピア発見メッセージを送信することを決定するように構成され得る。リソースブロックペアの第２のセットは、リソースブロックペアの複数のセットの最も低い受信電力を有し得る。送信モジュール１６１０は、リソースブロックペアの第２のセット内の特定のリソースブロックペアの順序に基づいてメッセージを生成するように構成され得る。送信モジュール１６１０は、ピア発見メッセージとともにメッセージを示す情報を送信するように構成され得る。送信モジュール１６１０は、メッセージに基づいて複数のパイロットシーケンスからパイロットシーケンスを選択するように構成され得る。メッセージを示す情報は、選択されたパイロットシーケンスであり得、選択されたパイロットシーケンスは、ピア発見メッセージを搬送する特定のリソースブロックペア内の基準信号中で送信され得る。メッセージは、ピア発見メッセージ内の特定のリソースブロックペア中で送信され得る。
【００６５】
[0081]リソースブロックペア決定モジュール１６０６は、ピア発見メッセージを搬送するためのリソースブロックペアのセットを選択するように構成され得る。送信モジュール１６１０は、リソースブロックペアのセット上でピア発見信号を送信するように構成され得る。リソースブロックペアのセットのうちの特定のリソースブロックペア上のピア発見信号が、ピア発見メッセージと次のリソースブロックペアのロケーションを示す情報とを含む。次のリソースブロックペアのロケーションを示す情報は、リソースブロックペアのセットのうちの次のリソースブロックペアであり得る。次のリソースブロックペアのロケーションを示す情報は、リソースブロックペアの第２のセットのうちの次のリソースブロックペアであり得る。リソースブロックペアの第２のセットは第１の時間サイクル中にあり得、リソースブロックペアのセットは第２の時間サイクル中にあり得る。次のリソースブロックペアを示すロケーションは、複数のリソースブロックペア内の絶対ロケーションまたは特定のリソースブロックペアに対する相対オフセットのうちの１つであり得る。本装置は、次のリソースブロックペアのロケーションを示す情報を含むように、リソースブロックペアのセット中の各リソースブロックペア中で送信される情報を別々に符号化するように構成された、符号化モジュール１６０８をさらに含み得る。
【００６６】
[0082]本装置は、図１３、図１４、図１５の上述のフローチャート中のアルゴリズムのステップの各々を実行する追加のモジュールを含み得る。したがって、図１３、図１４、図１５の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６７】
[0083]図１７は、処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１６０４、１６０６、１６０８、１６１０と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００６８】
[0084]処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４に与える。さらに、トランシーバ１７１０は、処理システム１７１４から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明された様々な機能を実行させる。コンピュータ可読媒体／メモリ１７０６はまた、ソフトウェアを実行するときにプロセッサ１７０４によって操作されるデータを記憶するために使用され得る。処理システムは、モジュール１６０４、１６０６、１６０８、１６１０のうちの少なくとも１つをさらに含む。それらのモジュールは、プロセッサ１７０４内で動作するか、コンピュータ可読媒体／メモリ１７０６内に存在する／記憶されたソフトウェアモジュール、プロセッサ１７０４に結合された１つもしくは複数のハードウェアモジュール、またはそれらの何らかの組合せであり得る。処理システム１７１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００６９】
[0085]一構成では、ワイヤレス通信のための装置１６０２／１６０２’は、ＵＥであり、第２の時間サイクル中のリソースブロックペアの第２のセットへの第１の時間サイクル中のリソースブロックペアの第１のセットのマッピングに基づいて、第２の時間サイクル中のピア発見メッセージをそれの上で送信すべき、リソースブロックペアの第２のセットを決定するための手段を含む。マッピングは、リソースブロックペアの第１のセット中の各リソースブロックペアとリソースブロックペアの第２のセット中の対応するリソースブロックペアとの間の１対１のマッピングである。リソースブロックペアの第１のセット中のリソースブロックペアは、隣接する割り振られたリソース中にあり得る。本装置は、リソースブロックペアの決定された第２のセット中でピア発見メッセージを送信するための手段をさらに含み得る。リソースブロックペアの第２のセット中のリソースブロックペアは、隣接しない割り振られたリソース中にあり得る。本装置は、リソースブロックペアの決定された第２のセットを示す情報を基地局に送るための手段と、基地局から、リソースブロックペアの決定された第２のセットが利用され得るかどうか指示を受信するための手段とをさらに含み得る。本装置は、第２の時間サイクル中のリソースブロックペアへの第１の時間サイクル中のリソースブロックペアのマッピングに基づいて、第２の時間サイクル中のリソースブロックペアの複数のセットを決定するための手段と、第２の時間サイクル中のリソースブロックペアの複数のセットに関連付けられた受信電力を決定するための手段とをさらに含み得る。リソースブロックペアの複数のセットは、リソースブロックペアの第２のセットを含み得る。本装置は、リソースブロックペアの第２のセットがしきい値よりも小さい受信電力を有すると決定するための手段と、リソースブロックペアの第２のセットがしきい値よりも小さい受信電力を有すると決定すると、リソースブロックペアの第２のセット中でピア発見メッセージを送信することを決定するための手段とをさらに含み得る。リソースブロックペアの第２のセットは、リソースブロックペアの複数のセットの最も低い受信電力を有し得る。本装置は、リソースブロックペアの第２のセット内の特定のリソースブロックペアの順序に基づいてメッセージを生成するための手段と、ピア発見メッセージとともにメッセージを示す情報を送信するための手段とをさらに含み得る。本装置は、メッセージに基づいて複数のパイロットシーケンスからパイロットシーケンスを選択するための手段をさらに含み得る。メッセージを示す情報は、選択されたパイロットシーケンスであり得、選択されたパイロットシーケンスは、ピア発見メッセージを搬送する特定のリソースブロックペア内の基準信号中で送信され得る。メッセージは、ピア発見メッセージ内の特定のリソースブロックペア中で送信され得る。
【００７０】
[0086]一構成では、ワイヤレス通信のための装置１６０２／１６０２’はＵＥであり、ピア発見メッセージを搬送するためのリソースブロックペアのセットを選択するための手段と、リソースブロックペアのセット上でピア発見信号を送信するための手段とを含む。リソースブロックペアのセットのうちの特定のリソースブロックペア上のピア発見信号は、ピア発見メッセージと次のリソースブロックペアのロケーションを示す情報とを含み得る。次のリソースブロックペアのロケーションを示す情報は、リソースブロックペアのセットのうちの次のリソースブロックペアであり得る。次のリソースブロックペアのロケーションを示す情報は、リソースブロックペアの第２のセットのうちの次のリソースブロックペアであり得る。リソースブロックペアの第２のセットは第１の時間サイクル中にあり得、リソースブロックペアのセットは第２の時間サイクル中にあり得る。次のリソースブロックペアを示すロケーションは、複数のリソースブロックペア内の絶対ロケーションまたは特定のリソースブロックペアに対する相対オフセットのうちの１つであり得る。本装置は、次のリソースブロックペアのロケーションを示す情報を含むように、リソースブロックペアのセット中の各リソースブロックペア中で送信される情報を別々に符号化するための手段をさらに含み得る。
【００７１】
[0087]上述の手段は、上述の手段によって具陳された機能を実行するように構成された、装置１６０２、および／または装置１６０２’の処理システム１７１４の上述のモジュールのうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００７２】
[0088]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７３】
[0089]以上の説明は、当業者が本明細書で説明した様々な態様を実行することができるように与えられた。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、
第２の時間サイクル中のリソースブロックペアの第２のセットへの第１の時間サイクル中のリソースブロックペアの第１のセットのマッピングに基づいて、前記第２の時間サイクル中のピア発見メッセージをそれの上で送信すべき、リソースブロックペアの前記第２のセットを決定することと、前記マッピングが、リソースブロックペアの前記第１のセット中の各リソースブロックペアとリソースブロックペアの前記第２のセット中の対応するリソースブロックペアとの間の１対１のマッピングである、
リソースブロックペアの前記決定された第２のセット中で前記ピア発見メッセージを送信することと
を備える、方法。
［Ｃ２］
リソースブロックペアの前記第１のセット中の前記リソースブロックペアが、隣接する割り振られたリソース中にある、Ｃ１に記載の方法。
［Ｃ３］
リソースブロックペアの前記第２のセット中のリソースブロックペアが、隣接しない割り振られたリソース中にある、Ｃ１に記載の方法。
［Ｃ４］
リソースブロックペアの前記決定された第２のセットを示す情報を基地局に送ることと、
前記基地局から、リソースブロックペアの前記決定された第２のセットが利用され得るかどうか指示を受信することと
をさらに備える、Ｃ１に記載の方法。
［Ｃ５］
前記第２の時間サイクル中のリソースブロックペアへの前記第１の時間サイクル中のリソースブロックペアのマッピングに基づいて、前記第２の時間サイクル中のリソースブロックペアの複数のセットを決定することと、
前記第２の時間サイクル中のリソースブロックペアの前記複数のセットに関連付けられた受信電力を決定することと、リソースブロックペアの前記複数のセットが、リソースブロックペアの前記第２のセットを含む、
リソースブロックペアの前記第２のセットがしきい値よりも小さい受信電力を有すると決定することと、
リソースブロックペアの前記第２のセットが前記しきい値よりも小さい受信電力を有すると決定すると、リソースブロックペアの前記第２のセット中で前記ピア発見メッセージを送信することを決定することと
をさらに備える、Ｃ１に記載の方法。
［Ｃ６］
リソースブロックペアの前記第２のセット内の特定のリソースブロックペアの順序に基づいてメッセージを生成することと、
前記ピア発見メッセージとともに前記メッセージを示す情報を送信することと
をさらに備える、Ｃ１に記載の方法。
［Ｃ７］
前記メッセージに基づいて、複数のパイロットシーケンスからパイロットシーケンスを選択することをさらに備え、ここにおいて、前記メッセージを示す前記情報が、前記選択されたパイロットシーケンスであり、前記選択されたパイロットシーケンスが、前記ピア発見メッセージを搬送する前記特定のリソースブロックペア内の基準信号中で送信される、Ｃ６に記載の方法。
［Ｃ８］
前記メッセージが、前記ピア発見メッセージ内の前記特定のリソースブロックペア中で送信される、Ｃ６に記載の方法。
［Ｃ９］
ユーザ機器（ＵＥ）のワイヤレス通信の方法であって、
ピア発見メッセージを搬送するためのリソースブロックペアのセットを選択することと、
リソースブロックペアの前記セット上でピア発見信号を送信することと、リソースブロックペアの前記セットのうちの特定のリソースブロックペア上の前記ピア発見信号が、前記ピア発見メッセージと次のリソースブロックペアのロケーションを示す情報とを含む、
を備える、方法。
［Ｃ１０］
前記次のリソースブロックペアの前記ロケーションを示す前記情報が、リソースブロックペアの前記セットのうちの次のリソースブロックペアである、Ｃ９に記載の方法。
［Ｃ１１］
前記次のリソースブロックペアの前記ロケーションを示す前記情報が、リソースブロックペアの第２のセットのうちの次のリソースブロックペアであり、リソースブロックペアの前記第２のセットが第１の時間サイクル中にあり、リソースブロックペアの前記セットが第２の時間サイクル中にある、Ｃ９に記載の方法。
［Ｃ１２］
前記次のリソースブロックペアを示す前記ロケーションが、複数のリソースブロックペア内の絶対ロケーションまたは前記特定のリソースブロックペアに対する相対オフセットのうちの１つである、Ｃ９に記載の方法。
［Ｃ１３］
前記次のリソースブロックペアの前記ロケーションを示す前記情報を含むように、リソースブロックペアの前記セット中の各リソースブロックペア中で送信される情報を別々に符号化することをさらに備える、Ｃ９に記載の方法。
［Ｃ１４］
ワイヤレス通信のための装置であって、前記装置はユーザ機器（ＵＥ）であり、
第２の時間サイクル中のリソースブロックペアの第２のセットへの第１の時間サイクル中のリソースブロックペアの第１のセットのマッピングに基づいて、前記第２の時間サイクル中のピア発見メッセージをそれの上で送信すべき、リソースブロックペアの前記第２のセットを決定するための手段と、前記マッピングが、リソースブロックペアの前記第１のセット中の各リソースブロックペアとリソースブロックペアの前記第２のセット中の対応するリソースブロックペアとの間の１対１のマッピングであり、リソースブロックペアの前記第１のセット中のリソースブロックペアが、隣接する割り振られたリソース中にある、
リソースブロックペアの前記決定された第２のセット中で前記ピア発見メッセージを送信するための手段と
を備える、装置。
［Ｃ１５］
リソースブロックペアの前記第１のセット中の前記リソースブロックペアが、隣接する割り振られたリソース中にある、Ｃ１４に記載の装置。
［Ｃ１６］
リソースブロックペアの前記第２のセット中のリソースブロックペアが、隣接しない割り振られたリソース中にある、Ｃ１４に記載の装置。
［Ｃ１７］
リソースブロックペアの前記決定された第２のセットを示す情報を基地局に送るための手段と、
前記基地局から、リソースブロックペアの前記決定された第２のセットが利用され得るかどうか指示を受信するための手段と
をさらに備える、Ｃ１４に記載の装置。
［Ｃ１８］
前記第２の時間サイクル中のリソースブロックペアへの前記第１の時間サイクル中のリソースブロックペアのマッピングに基づいて、前記第２の時間サイクル中のリソースブロックペアの複数のセットを決定するための手段と、
前記第２の時間サイクル中のリソースブロックペアの前記複数のセットに関連付けられた受信電力を決定するための手段と、リソースブロックペアの前記複数のセットが、リソースブロックペアの前記第２のセットを含む、
リソースブロックペアの前記第２のセットがしきい値よりも小さい受信電力を有すると決定するための手段と、
リソースブロックペアの前記第２のセットが前記しきい値よりも小さい受信電力を有すると決定すると、リソースブロックペアの前記第２のセット中で前記ピア発見メッセージを送信することを決定するための手段と
をさらに備える、Ｃ１４に記載の装置。
［Ｃ１９］
リソースブロックペアの前記第２のセット内の特定のリソースブロックペアの順序に基づいてメッセージを生成するための手段と、
前記ピア発見メッセージとともに前記メッセージを示す情報を送信するための手段と
をさらに備える、Ｃ１４に記載の装置。
［Ｃ２０］
前記メッセージに基づいて、複数のパイロットシーケンスからパイロットシーケンスを選択するための手段をさらに備え、ここにおいて、前記メッセージを示す前記情報が、前記選択されたパイロットシーケンスであり、前記選択されたパイロットシーケンスが、前記ピア発見メッセージを搬送する前記特定のリソースブロックペア内の基準信号中で送信される、Ｃ１９に記載の装置。
［Ｃ２１］
前記メッセージが、前記ピア発見メッセージ内の前記特定のリソースブロックペア中で送信される、Ｃ１９に記載の装置。
［Ｃ２２］
ワイヤレス通信のための装置であって、前記装置はユーザ機器（ＵＥ）であり、
ピア発見メッセージを搬送するためのリソースブロックペアのセットを選択するための手段と、
リソースブロックペアの前記セット上でピア発見信号を送信するための手段と、リソースブロックペアの前記セットのうちの特定のリソースブロックペア上の前記ピア発見信号が、前記ピア発見メッセージと次のリソースブロックペアのロケーションを示す情報とを含む、
を備える、装置。
［Ｃ２３］
前記次のリソースブロックペアの前記ロケーションを示す前記情報が、リソースブロックペアの前記セットのうちの次のリソースブロックペアである、Ｃ２２に記載の装置。
［Ｃ２４］
前記次のリソースブロックペアの前記ロケーションを示す前記情報が、リソースブロックペアの第２のセットのうちの次のリソースブロックペアであり、リソースブロックペアの前記第２のセットが第１の時間サイクル中にあり、リソースブロックペアの前記セットが第２の時間サイクル中にある、Ｃ２２に記載の装置。
［Ｃ２５］
前記次のリソースブロックペアを示す前記ロケーションが、複数のリソースブロックペア内の絶対ロケーションまたは前記特定のリソースブロックペアに対する相対オフセットのうちの１つである、Ｃ２２に記載の装置。
［Ｃ２６］
前記次のリソースブロックペアの前記ロケーションを示す前記情報を含むように、リソースブロックペアの前記セット中の各リソースブロックペア中で送信される情報を別々に符号化するための手段をさらに備える、Ｃ２２に記載の装置。
［Ｃ２７］
ワイヤレス通信のための装置であって、前記装置はユーザ機器（ＵＥ）であり、
メモリと、
前記メモリに結合され、
第２の時間サイクル中のリソースブロックペアの第２のセットへの第１の時間サイクル中のリソースブロックペアの第１のセットのマッピングに基づいて、前記第２の時間サイクル中のピア発見メッセージをそれの上で送信すべき、リソースブロックペアの前記第２のセットを決定することと、前記マッピングが、リソースブロックペアの前記第１のセット中の各リソースブロックペアとリソースブロックペアの前記第２のセット中の対応するリソースブロックペアとの間の１対１のマッピングであり、リソースブロックペアの前記第１のセット中のリソースブロックペアが、隣接する割り振られたリソース中にある、
リソースブロックペアの前記決定された第２のセット中で前記ピア発見メッセージを送信することと
を行うように構成された、少なくとも１つのプロセッサと
を備える、装置。
［Ｃ２８］
ワイヤレス通信のための装置であって、前記装置はユーザ機器（ＵＥ）であり、
メモリと、
前記メモリに結合され、
ピア発見メッセージを搬送するためのリソースブロックペアのセットを選択することと、
リソースブロックペアの前記セット上でピア発見信号を送信することと、リソースブロックペアの前記セットのうちの特定のリソースブロックペア上の前記ピア発見信号が、前記ピア発見メッセージと次のリソースブロックペアのロケーションを示す情報とを含む、
を行うように構成された、少なくとも１つのプロセッサと
を備える、装置。
［Ｃ２９］
ユーザ機器（ＵＥ）のコンピュータプログラム製品であって、
第２の時間サイクル中のリソースブロックペアの第２のセットへの第１の時間サイクル中のリソースブロックペアの第１のセットのマッピングに基づいて、前記第２の時間サイクル中のピア発見メッセージをそれの上で送信すべき、リソースブロックペアの前記第２のセットを決定することと、前記マッピングが、リソースブロックペアの前記第１のセット中の各リソースブロックペアとリソースブロックペアの前記第２のセット中の対応するリソースブロックペアとの間の１対１のマッピングであり、リソースブロックペアの前記第１のセット中のリソースブロックペアが、隣接する割り振られたリソース中にある、
リソースブロックペアの前記決定された第２のセット中で前記ピア発見メッセージを送信することと
を行うためのコードを備えるコンピュータ可読媒体
を備える、コンピュータプログラム製品。
［Ｃ３０］
ユーザ機器（ＵＥ）のコンピュータプログラム製品であって、
ピア発見メッセージを搬送するためのリソースブロックペアのセットを選択することと、
リソースブロックペアの前記セット上でピア発見信号を送信することと、リソースブロックペアの前記セットのうちの特定のリソースブロックペア上の前記ピア発見信号が、前記ピア発見メッセージと次のリソースブロックペアのロケーションを示す情報とを含む、
を行うためのコードを備えるコンピュータ可読媒体
を備える、コンピュータプログラム製品。
【図１】
0006461984.tif 000002
【図２】
0006461984.tif 000003
【図３】
0006461984.tif 000004
【図４】
0006461984.tif 000005
【図５】
0006461984.tif 000006
【図６】
0006461984.tif 000007
【図７】
0006461984.tif 000008
【図８Ａ−８Ｂ】
0006461984.tif 000009
【図９Ａ】
0006461984.tif 000010
【図９Ｂ】
0006461984.tif 000011
【図１０Ａ】
0006461984.tif 000012
【図１０Ｂ】
0006461984.tif 000013
【図１１】
0006461984.tif 000014
【図１２Ａ】
0006461984.tif 000015
【図１２Ｂ】
0006461984.tif 000016
【図１３】
0006461984.tif 000017
【図１４】
0006461984.tif 000018
【図１５】
0006461984.tif 000019
【図１６】
0006461984.tif 000020
【図１７】
0006461984.tif 000021